(57)【要約】【課題】電源の瞬断によるデータの消失を防ぐ。【解決手段】電池６から正常に電源が供給されている間にＳＲＡＭ５の電源端子ＶDDとグランド端GNDとの間に接続されたコンデンサＣ１が充電される。故に、電源瞬断が発生した場合、コンデンサＣ１に充電されている電荷が放電されてＳＲＡＭ５の電源端子ＶDDとグランド端GNDとの間に電源供給されるため、電源瞬断から復帰するまでにＳＲＡＭ５に記憶しているデータが消失してしまうのを防ぐことができる。また、コンデンサＣ１と電池６の間に挿入されているダイオードＤにより、コンデンサＣ１から放電した電荷がマイコン２に供給されるのを防止することができる。【選択図】図１
2008253279.tif 000002
【特許請求の範囲】
【請求項１】
被測定者に携帯され当該被測定者の活動量を測定する活動量計であって、
被測定者の身体の体動を検出するセンサと、センサの検出値から被測定者の活動量を演算する演算回路と、前記検出値並びに演算回路で演算された活動量のデータを記憶する書換可能な揮発性の半導体メモリと、電源供給用の電池とを備え、
前記半導体メモリは、記憶保持のために電池電圧が印加される一対の電源端子を有するとともに、整流素子を介して電池により充電されるコンデンサが当該電源端子間に接続されていることを特徴とする活動量計。
【発明の詳細な説明】
【技術分野】
【０００１】
本発明は、被測定者の活動量を測定する活動量計に関する。
【背景技術】
【０００２】
従来、被測定者の活動量を測定する活動量計として、例えば、特許文献１に開示されているようなものがある。
【０００３】
この種の活動量計は、例えば、３次元直交座標系における３軸方向の加速度が検出可能である加速度センサと、加速度センサの検出値等を記憶するメモリと、メモリに記憶された検出値（加速度データ）から被測定者の活動量を演算する処理等を行うマイクロコンピュータ（以下、マイコンと略す。）と、マイコンで演算処理された活動量を表示する表示デバイス（例えば、液晶ディスプレイ）と、上記演算処理等をマイコンに実行させるためのソフトウェア（プログラム）等を記憶した不揮発性の半導体メモリ（例えば、ＥＥＰＲＯＭ）と、電源供給用の電池とを備え、これらの構成部品が携帯可能な大きさのハウジングに収納されて構成されるものである。なお、加速度センサの検出値等を記憶するためのメモリとしては、記憶保持のための動作を必要としない書換可能な半導体メモリ（例えば、ＳＲＡＭ＜Static Random Access Memory＞）が用いられる。
【特許文献１】特開２００６−２０４４４６号公報
【発明の開示】
【発明が解決しようとする課題】
【０００４】
ところで、上述のような活動量計を携帯した被測定者が激しい運動を行った場合、あるいは、活動量計が不注意で落とされた場合などにおいて、ハウジング内で電池が動くことにより極めて短い時間だけ電源供給が停止してしまう可能性がある。そして、このような電源の瞬断が発生した場合、記憶保持に電源を必要とするメモリ（ＳＲＡＭ）に記憶していたデータが消失してしまうという問題があった。
【０００５】
本発明は上記事情に鑑みて為されたものであり、その目的は、電源の瞬断によるデータの消失を防ぐことができる活動量計を提供することにある。
【課題を解決するための手段】
【０００６】
本発明は、上記目的を達成するために、被測定者に携帯され当該被測定者の活動量を測定する活動量計であって、被測定者の身体の体動を検出するセンサと、センサの検出値から被測定者の活動量を演算する演算回路と、前記検出値並びに演算回路で演算された活動量のデータを記憶する書換可能な揮発性の半導体メモリと、電源供給用の電池とを備え、前記半導体メモリは、記憶保持のために電池電圧が印加される一対の電源端子を有するとともに、整流素子を介して電池により充電されるコンデンサが当該電源端子間に接続されていることを特徴とする。
【発明の効果】
【０００７】
本発明によれば、データを記憶する半導体メモリの一対の電源端子間に、整流素子を介して電池により充電されるコンデンサが接続されているので、電源の瞬断が発生した場合でもコンデンサに充電されている電荷を利用して半導体メモリの記憶保持を行うことができ、その結果、電源の瞬断によるデータの消失を防ぐことができる。
【発明を実施するための最良の形態】
【０００８】
以下、本発明の実施形態について、図面を参照して詳細に説明する。
【０００９】
本実施形態の活動量計は、図１に示すように３次元直交座標系における３軸方向の加速度が検出可能である加速度センサ１と、加速度センサ１の検出値（加速度データ）から被測定者の活動量を演算する処理等を行う演算回路（マイコン）２と、液晶ディスプレイのような表示デバイスを有しマイコン２で演算処理された活動量を表示する表示部３と、活動量の演算に必要となる各種のデータ（被測定者の年齢や体重など）や後述するキーコマンド、認証情報等を記憶した不揮発性の半導体メモリ（ＥＥＰＲＯＭ）４と、加速度センサ１の検出値や活動量等のデータを記憶する書換可能な揮発性の半導体メモリ（ＳＲＡＭ）５と、電源供給用の電池６と、押釦スイッチ等を具備した入力操作部７と、外部機器（例えば、パーソナル・コンピュータ）との間でデータを授受するための外部インタフェース（Ｉ／Ｆ）部８とを備え、これらの構成部品が携帯可能な大きさのハウジング（図示せず）に収納されて構成される。
【００１０】
マイコン２にはＥＥＰＲＯＭ４、ＳＲＡＭ５、Ｉ／Ｏポート９がバス１０を介して接続され、Ｉ／Ｏポート９に加速度センサ１、表示部３、入力操作部７、外部Ｉ／Ｆ部８が接続されており、内蔵されている不揮発性メモリに記憶されたプログラムを実行することで上記演算処理等を実行する。また、加速度センサ１から出力される検出値（加速度データ）は、マイコン２の制御の下でＩ／Ｏポート９からバス１０を介して取り込まれてＳＲＡＭ５に記憶される。マイコン２はＳＲＡＭ５に記憶した検出値（加速度データ）に基づいて被測定者の活動量を演算するとともに、演算して求めた活動量データをバス１０を介してＳＲＡＭ５に記憶させ、入力操作部７に設けられた押釦スイッチの操作入力をＩ／Ｏポート９からバス１０を介して取り込むと、ＳＲＡＭ５に記憶している活動量データを読み出してＩ／Ｏポート９から表示部３に送り、表示部３において活動量を表示させる。ここで、本実施形態の活動量計で測定している活動量とは、加速度センサ１で検出する加速度の値から安静時の運動強度に対応する比の指標（ＭＥＴｓ＜metabolic equivalents＞）として求まる運動強度である。但し、かかる運動強度の演算方法については、本発明の要旨ではなく、また従来周知でもあるから説明を省略する。
【００１１】
次に、本発明の要旨となる構成について説明する。
【００１２】
上述のように構成される本実施形態の活動量計は被測定者に携行されて当該被測定者の活動量を測定するのであるが、従来技術で説明したように被測定者が激しい運動を行った場合、あるいは、活動量計が不注意で落とされた場合などにおいて、ハウジング内で電池６が動くことによりＳＲＡＭ５への電源供給が瞬断してしまう可能性がある。そして、ＳＲＡＭ５は記憶保持に電源を必要とするから、上述のような電源瞬断が発生すると記憶している加速度センサ１の検出値や活動量のデータが消失してしまう虞がある。
【００１３】
そこで本実施形態では、ＳＲＡＭ５の電源端子ＶDDとグランド端GNDとの間に比較的容量の大きいコンデンサＣ１を接続し、さらに電源端子ＶDDに接続されたコンデンサＣ１の一端にダイオードＤのカソードを接続するとともに電池６の正極にダイオードＤのアノードを接続している。すなわち、電池６から正常に電源が供給されている間にＳＲＡＭ５の電源端子ＶDDとグランド端GNDとの間に接続されたコンデンサＣ１が充電されており、電源瞬断が発生した場合、コンデンサＣ１に充電されている電荷が放電されてＳＲＡＭ５の電源端子ＶDDとグランド端GNDとの間に電源供給されるため、電源瞬断から復帰するまでにＳＲＡＭ５に記憶しているデータが消失してしまうのを防ぐことができる。また、コンデンサＣ１と電池６の間に挿入されているダイオードＤにより、コンデンサＣ１から放電した電荷がマイコン２に供給されるのを防止することができる。なお、本実施形態ではマイコン２の電源端子ＶCCとグランド端GNDとの間にも電源瞬断時のバックアップ電源となるコンデンサＣ２が接続されている。
【００１４】
ところで本実施形態の活動量計では、プログラムのバグなどによって無限ループに陥ったり、外部ノイズなどの影響でマイコン２が暴走した場合に備えてウォッチドッグタイマ１１が設けられている。ウォッチドッグタイマ１１は、マイコン２の暴走によってカウントアップするとＳＲＡＭ５が記憶しているデータ（検出値や活動量のデータ）をＥＥＰＲＯＭ４に退避させるとともにキーコマンドを書き込んだ後にマイコン２をリセットさせる。再起動したマイコン２はＥＥＰＲＯＭ４にアクセスし、キーコマンドが書き込まれていればＥＥＰＲＯＭ４に退避されているデータを読み込んで活動量の演算処理を継続する。従って、マイコン２が暴走してリセットされた場合でも暴走前のデータを使って活動量の演算処理を継続することができる。但し、ＥＥＰＲＯＭ４にキーコマンドが書き込まれていなければ、マイコン２は最初から活動量の演算処理を開始することは言うまでもない。
【００１５】
ここで、本実施形態の活動量計は外部Ｉ／Ｆ部８を備えており、例えば、外部Ｉ／Ｆ部８を介してＳＲＡＭ５に記憶している検出値や活動量のデータを外部機器（例えば、パーソナル・コンピュータ）に取り込んで保存あるいは処理することができる。しかしながら、これらのデータは被測定者のプライバシーに関する情報（いわゆる個人情報）であるから、被測定者本人若しくは被測定者本人から許可された者以外の第三者に開示されることは避けなければならない。そこで、被測定者本人若しくは被測定者本人から許可された者を認証するための認証情報（例えば、暗証番号）をＥＥＰＲＯＭ４に格納しておき、外部Ｉ／Ｆ部８に接続された外部機器からアクセスされた場合、マイコン２が当該外部機器に対して認証要求を行い、外部機器から送られてきた認証情報がＥＥＰＲＯＭ４に格納されている認証情報と一致した場合にだけアクセスを許可するようにすればよい。
【図面の簡単な説明】
【００１６】
【図１】本発明の実施形態を示すブロック図である。
【符号の説明】
【００１７】
１  加速度センサ
２  マイコン（演算回路）
５  ＳＲＡＭ（書換可能な揮発性半導体メモリ）
６  電池
Ｃ１  コンデンサ
【図１】
2008253279.tif 000003